(57)【要約】【課題】介助者の負担を軽減して車椅子利用者の端座位と長座位とを切り換えられる車椅子を提供する。【解決手段】車椅子１は、車輪１４を有する台車部１０と、台車部１０に対してスライド可能に設けられる椅子部２０と、を備える。椅子部２０は、台車部１０に対するスライドによって、椅子部２０に座る者Ｍが端座位となる第１の位置と、椅子部２０に座る者Ｍが長座位となる第２の位置とに切り換え可能に設けられる。【選択図】図１
2016093409.tif 000002
【特許請求の範囲】
【請求項１】
車輪を有する台車部と、
前記台車部に対してスライド可能に設けられる椅子部と、
を備える車椅子であって、
前記椅子部は、前記台車部に対するスライドによって、前記椅子部に座る者が端座位となる第１の位置と、前記椅子部に座る者が長座位となる第２の位置とに切り換え可能に設けられることを特徴とする車椅子。
【請求項２】
前記椅子部は、前記第１の位置から後方にスライドされることによって前記第２の位置に至ることを特徴とする請求項１に記載の車椅子。
【請求項３】
前記台車部には、前記椅子部が前記第２の位置に配置された場合に、前記椅子部に座る者の下肢を支持する支持部が含まれることを特徴とする請求項１又は２に記載の車椅子。
【請求項４】
前記椅子部の前記第１の位置から前記第２の位置への移動に連動して繰り出され、前記椅子部の前記第２の位置から前記第１の位置への移動に連動して巻き取られるシート部材を更に備えることを特徴とする請求項１から３のいずれか１項に記載の車椅子。
【請求項５】
前記シート部材は、一端が前記椅子部に取り付けられ、前記台車部に設けられる繰り出し巻き取り装置によって前記繰り出しと前記巻き取りとが行われることを特徴とする請求項４に記載の車椅子。
【請求項６】
前記椅子部を前記第１の位置及び前記第２の位置に固定するロック機構を更に備えることを特徴とする請求項１から５のいずれか１項に記載の車椅子。
【発明の詳細な説明】
【技術分野】
【０００１】
本発明は車椅子に関する。
【背景技術】
【０００２】
従来、利用者の姿勢が端座位となる状態と長座位となる状態とを切り換えられる車椅子が知られている（例えば特許文献１等参照）。なお、端座位とは、座位の一つで、下肢を下して座る姿勢を広く指している。また、長座位とは、座位の一つで、下肢を伸ばして座る姿勢を広く指している。これらの定義は、本明細書の以下の部分でも同様である。
【０００３】
図６は、従来の端座位と長座位とを切り換えられる車椅子１００の構成を示す概略側面図である。図６に示すように、従来の車椅子１００には、当該車椅子１００の利用者が臀部を載せる座部１０１の前方に配置され、座部１０１に対して回動可能に設けられるフットレスト部１０２が備えられる。フットレスト部１０２は、図６において、アーム１０３を時計回り方向に回動するように持ち上げることによって持ち上げることができる（図６の二点鎖線図参照）。
【０００４】
従来の車椅子１００においては、フットレスト部１０２が下げられた位置とされることによって、利用者の姿勢は端座位になり、フットレスト部１０２が上げられた位置とされることによって、利用者の姿勢は長座位になる。通常、車椅子１００による人の搬送は端座位で行われる。特許文献１においては、車椅子１００に座った者を入浴させる場合に、端座位から長座位への切り換えが行われる。
【先行技術文献】
【特許文献】
【０００５】
【特許文献１】特開２００８−１４９０００号公報
【発明の概要】
【発明が解決しようとする課題】
【０００６】
上述した従来の車椅子１００は、アーム１０３を回動させることによって、利用者の姿勢が端座位となる状態と長座位となる状態とを切り換えられるので便利である。ただし、アーム１０３を操作する介助者は、アーム１０３の操作時に屈む必要がある。アーム１０３を操作する度に屈む必要があるとすると、介助者の腰への負担が大きくなることが懸念されるので、改良した車椅子が望まれる。
【０００７】
以上の点に鑑みて、本発明の目的は、介助者の負担を軽減して車椅子利用者の端座位と長座位とを切り換えられる車椅子を提供することである。
【課題を解決するための手段】
【０００８】
上記目的を達成するために本発明の車椅子は、車輪を有する台車部と、前記台車部に対してスライド可能に設けられる椅子部と、を備える車椅子であって、前記椅子部は、前記台車部に対するスライドによって、前記椅子部に座る者が端座位となる第１の位置と、前記椅子部に座る者が長座位となる第２の位置とに切り換え可能に設けられる構成（第１の構成）になっている。
【０００９】
本構成によれば、例えば椅子部に座る者の姿勢を端座位から長座位に切り換える操作を、従来の持ち上げ操作から押す操作に変更できる。このために、座位の切り換え時における介助者の屈み動作を無くして、介助者に対する負担軽減を図れる。
【００１０】
上記第１の構成の車椅子において、前記椅子部は、前記第１の位置から後方にスライドされることによって前記第２の位置に至る構成（第２の構成）であるのが好ましい。
【００１１】
上記第１又は第２の構成の車椅子において、前記台車部には、前記椅子部が前記第２の位置に配置された場合に、前記椅子部に座る者の下肢を支持する支持部が含まれる構成（第３の構成）とするのが好ましい。本構成によれば、車椅子の構成を複雑化することなく、車椅子利用者の端座位と長座位とを切り換えられる車椅子を提供できる。
【００１２】
上記第１から第３のいずれかの構成の車椅子は、前記椅子部の前記第１の位置から前記第２の位置への移動に連動して繰り出され、前記椅子部の前記第２の位置から前記第１の位置への移動に連動して巻き取られるシート部材を更に備える構成（第４の構成）であるのが好ましい。本構成によれば、車椅子利用者の端座位と長座位との切り換えを行う際に、車椅子利用者が怪我をする可能性を低減して安全性を向上できる。
【００１３】
上記第４の構成の車椅子において、前記シート部材は、一端が前記椅子部に取り付けられ、前記台車部に設けられる繰り出し巻き取り装置によって前記繰り出しと前記巻き取りとが行われる構成（第５の構成）であるのが好ましい。本構成によれば、安全性の高い車椅子を低コストで実現し易い。
【００１４】
上記第１から第５のいずれかの構成の車椅子は、前記椅子部を前記第１の位置及び前記第２の位置に固定するロック機構を更に備える構成（第６の構成）であるのが好ましい。本構成によれば、介助者の負担を軽減し易く、また、車椅子利用者の安全性の向上も図れる。
【発明の効果】
【００１５】
本発明によれば、介助者の負担を軽減して車椅子利用者の端座位と長座位とを切り換えられる車椅子を提供できる。
【図面の簡単な説明】
【００１６】
【図１】本発明の実施形態に係る車椅子の構成を示す概略側面図
【図２】図１に示す車椅子を上から見た場合の概略平面図で、シート部材の図示が省略された図
【図３】本発明の実施形態に係る車椅子の作用を説明するための概略側面図で、図１に示す状態から椅子部が後方にスライド移動した状態を示す図
【図４】図３に示す車椅子を上から見た場合の概略平面図
【図５】図４に示す車椅子におけるシート部材を省略した概略平面図
【図６】従来の端座位と長座位とを切り換えられる車椅子の構成を示す概略側面図
【発明を実施するための形態】
【００１７】
以下、本発明の実施形態に係る車椅子について、図面を参照しながら詳細に説明する。なお、以下の説明においては、車椅子に座った利用者を基準として前後左右の表現を用いる。
【００１８】
図１は、本発明の実施形態に係る車椅子１の構成を示す概略側面図である。なお、図１には、理解を容易とするために、車椅子１の利用者Ｍも示されている。図１に示すように、車椅子１は、大きくは、走行可能に設けられる台車部１０と、台車部１０上に配置される椅子部２０と、を備えている。
【００１９】
台車部１０は、下フレーム１１と、下フレーム１１に立設される支柱１２と、支柱１２によって支持される上フレーム１３とを備えている。下フレーム１１の四隅の下部側には車輪１４が取り付けられている。この車輪１４によって、台車部１０は、床面や地面上を走行可能になっている。
【００２０】
椅子部２０は、車椅子１の利用者Ｍが臀部を載せる座面部２１と、座面部２１に臀部を載せた利用者が背を凭せ掛ける背凭れ部２２とが含まれる。背凭れ部２２の左右の側面には、図１に示すように、手すり２３が取り付けられてよい。手すり２３は、鉛直面内で回動するように背凭れ部２２に取り付けられるのが好ましい。背凭れ部２２の後面（背面）上部には、図１に示すように、介助者が車椅子１を操作し易いようにハンドル２４が設けられるのが好ましい。その他、背凭れ部２２の上部には、ヘッドレスト（不図示）が設けられてよい。
【００２１】
座面部２１の下面には、可動フレーム２５が固着されている。可動フレーム２５は、台車部１０の上フレーム１３に対して前後方向にスライド可能に連結されている。換言すると、可動フレーム２５を含む椅子部２０は、台車部１０に対して前後方向にスライド移動可能に連結されている。
【００２２】
可動フレーム２５を上フレーム１３に対してスライド可能とする機構（スライド機構）は特に限定されるものではなく、公知の機構を適宜採用すればよい。本実施形態では、図２に示すように、板状に設けられる上フレーム１３の上面に前後方向に延在する一対の溝部１３ａ、１３ｂを設け、可動フレーム２５の下面に、一対の溝部１３ａ、１３ｂに沿って転がるコロ（不図示）を設けた構成を採用している。一対の溝部１３ａ、１３ｂは、左右方向に間隔をあけて配置されている。
【００２３】
なお、図２は、図１に示す車椅子１を上から見た場合の概略平面図である。図２においては、図１において符号３１で示されるシート部材の図示が省略されている。シート部材３１の詳細については後述する。また、本実施形態では、座面部２１の下に可動フレーム２５が設けられる構成としたが、可動フレーム２５は設けられない構成としてもよい。この場合には、例えば、座面部２１にコロを設け、座面部２１が上フレーム１３に直接スライド可能に取り付けられる構成が採用されてよい。
【００２４】
椅子部２０の前面側には、帯状のシート部材３１の一端が取り付けられている。シート部材３１の一端は、座面部２１又は／及び可動フレーム２５に固着されてよい。なお、シート部材３１は、例えば布やゴム等で構成できる。シート部材３１の他端は、上フレーム１３の下面に固定配置される繰り出し巻き取り装置３２に取り付けられている。
【００２５】
繰り出し巻き取り装置３２は、シート部材３１を装置外部に向けて引っ張る力が加えられると、当該引っ張る力に応じてシート部材３１を繰り出す。また、繰り出し巻き取り装置３２は、シート部材３１を装置外部に向けて引っ張る力がなくなると、シート部材３１を自動的に装置内に巻き取ろうとする。このような繰り出し巻き取り装置３２は、例えばコンストンバネやぜんまい等を利用して形成できる。
【００２６】
上フレーム１３の前面側には、図１及び図２に示すように、一対のローラー３３ａ、３３ｂが左右方向に間隔をあけて配置されている。一対のローラー３３ａ、３３ｂは、繰り出し巻き取り装置３２から繰り出されるシート部材３１や、繰り出し巻き取り装置３２に巻き取られるシート部材３１が所定の方向に移動するようにガイドする。
【００２７】
なお、本実施形態では、繰り出し巻き取り装置３２から椅子部２０へとシート部材３１をガイドするために２つのローラー３３ａ、３３ｂを設ける構成としているが、ローラーの数は、１つでも、３つ以上であってもよい。
【００２８】
次に、本実施形態の車椅子１の作用について説明する。図１は、車椅子１の利用者Ｍが端座位となる第１の位置に椅子部２０がある状態を示している。なお、本実施形態の車椅子１においては、椅子部２０が前述の第１の位置にある場合に、椅子部２０が勝手に動き出さないように固定するロック機構４０が設けられている。
【００２９】
なお、ロック機構４０の構成は、特に限定されるものではなく、公知の構成が適宜使用されてよい。例えば、上フレーム１３と可動フレーム２５とのうちの一方に係合ピンを設け、他方に前記係合ピンが挿し込まれる係合穴を設ける構成等が採用されてよい。この場合、介助者が係合ピンの抜き差しを行う構成が採用されてもよいし、自動的に係合ピンの抜き差しが行われる構成が採用されてもよい。
【００３０】
図１の状態から、介助者がロック機構４０によるロックを解除して椅子部２０を後方に押すと、椅子部２０が台車部１０に対してスライド移動する。椅子部２０が所定量スライド移動すると、図３に示すように、利用者Ｍが長座位となる第２の位置に椅子部２０が至る。椅子部２０が後方へスライド移動することに連動して、繰り出し巻き取り装置３２からシート部材３１が繰り出される。
【００３１】
なお、本実施形態の車椅子１においては、椅子部２０が前述の第２の位置にある場合においても、ロック機構４０によって、椅子部２０が勝手に動き出さないように固定できるようになっている。
【００３２】
また、図３は、本発明の実施形態に係る車椅子１の作用を説明するための概略側面図で、図１に示す状態から椅子部２０が後方にスライド移動した状態を示す図である。図４は、図３に示す車椅子１を上から見た場合の概略平面図である。図５は、図４に示す車椅子１におけるシート部材３１を省略した概略平面図である。図４及び図５は、本実施形態の車椅子１に対する理解を容易とするために補足的に示した図である。
【００３３】
椅子部２０が前述の第２の位置にある場合、利用者Ｍの脚は、台車部１０の上フレーム１３（本発明の支持部の一例）によって支持される。また、椅子部２０のスライド移動に連動してシート部材３１が繰り出されるために、端座位から長座位へと切り換えられる際に、利用者Ｍは脚等を怪我し難い。なお、本実施形態では、図４に示すように、シート部材３１の幅は、車椅子１の左右方向の幅と同等にしているが、シート部材３１の幅は、利用者Ｍの安全性を損なわないこと等を考慮して適宜変更されて構わない。
【００３４】
一方、図３の状態から、介助者がロック機構４０によるロックを解除して椅子部２０を前方に押すと、椅子部２０のスライド移動により、利用者Ｍが端座位となった状態（図１に示す状態）が得られる。椅子部２０が前方へスライド移動することに連動して、繰り出し巻き取り装置３２はシート部材３１を自動的に巻き取る。椅子部２０のスライド移動に連動してシート部材３１が自動的に巻き取られるために、介助者はシート部材３１を手動で巻き取る必要はない。
【００３５】
以上のように、本実施形態の車椅子１においては、椅子部２０の台車部１０に対するスライド移動を利用して、搬送時には利用者Ｍの姿勢を簡単に端座位とでき、利用者Ｍをリラックスさせる場合や入浴させる場合等には利用者Ｍの姿勢を簡単に長座位とできる。本実施形態の車椅子１によれば、従来の車椅子１００（図６参照）のように、利用者Ｍの姿勢を切り換える（端座位と長座位との切り換えを行う）ために、介助者は屈む動作を行わなくて済む。このために、介助者の負担の軽減を図れる。
【００３６】
また、本実施形態の車椅子１によれば、利用者Ｍの姿勢を切り換える（端座位と長座位との切り換えを行う）際に、利用者Ｍの脚をシート部材３１に載せながら切り換え作業を行えるために、安全に切り換え作業を行える。また、本実施形態の車椅子１によれば、利用者Ｍの姿勢が端座位から長座位へと切り換えられる際に、利用者Ｍが窮屈感を感じ難いことが期待できる。
【００３７】
以上に示した実施形態は、本発明の例示にすぎない。以上に示した実施形態の構成は、本発明の技術的思想を超えない範囲で適宜変更されて構わない。
【００３８】
例えば、以上に示した車椅子１は、足を載せるフットレスト部が設けられない構成としたが、これは一例にすぎず、フットレスト部が設けられる構成としてもよい。フットレスト部は、例えば上フレーム１３に取り付けられてよい。
【００３９】
また、車椅子１に設ける車輪１４の数は、車椅子のバランス等を考慮して適宜変更して構わない。また、台車部１０を構成するフレームの構成も、車椅子のバランス等を考慮して適宜変更して構わない。
【００４０】
その他、以上に示した実施形態に係る車椅子１は、例えば介助を必要とする者（要介助者）を入浴させる際に使用する入浴用車椅子として好適である。ただし、本発明は、入浴用車椅子に限らず、他の車椅子にも広く適用可能である。
【符号の説明】
【００４１】
１    車椅子
１０  台車部
１３  上フレーム（支持部）
１４  車輪
２０  椅子部
３１  シート部材
３２  繰り出し巻き取り装置
４０  ロック機構
Ｍ    利用者（椅子部に座る者）
【図１】
2016093409.tif 000003
【図２】
2016093409.tif 000004
【図３】
2016093409.tif 000005
【図４】
2016093409.tif 000006
【図５】
2016093409.tif 000007
【図６】
2016093409.tif 000008